(57)【要約】【課題】本発明は、ビニール製マルチシートで畝を覆うことなく、畝から雑草が生えるのを良好に抑制して、マルチシートの除去作業を解消して農作業の労力軽減を図り、マルチシート廃棄時の環境問題を解消することを課題とする。【解決手段】畝立て装置２等で成形された畝に沿って移動しながら畝上面に液体を散布する液体散布手段と、畝に沿って移動しながら畝の表層部に接触して回転し前記液体散布手段により散布された液体を含んだ畝の表層部の土を練り土状にする回転体１８とを設ける。また、自走車体１に、畝立て装置２と前記液体散布手段と前記回転体１８を装着する。或は、また、紙２６をロール状に巻いた紙ロール２３を支持する紙ロール支持手段と、紙ロール２３から引き出された紙２６を畝上面に案内する案内手段２５と、畝を被覆した紙２６が畝表層部と密着させる水等の液体を散布する液体散布手段とを設ける。【選択図】図１
2004113178.tif 000002
【特許請求の範囲】
【請求項１】
畝立て装置２等で成形された畝に沿って移動しながら畝上面に液体を散布する液体散布手段と、畝に沿って移動しながら畝の表層部に接触して回転し前記液体散布手段により散布された液体を含んだ畝の表層部の土を練り土状にする回転体１８とを設けたことを特徴とする畝表層部処理装置。
【請求項２】
自走車体１に、畝立て装置２と前記液体散布手段と前記回転体１８を装着したことを特徴とする請求項１記載の畝表層部処理装置。
【請求項３】
紙２６をロール状に巻いた紙ロール２３を支持する紙ロール支持手段と、紙ロール２３から引き出された紙２６を畝上面に案内する案内手段２５と、畝を被覆した紙２６が畝表層部と密着させる水等の液体を散布する液体散布手段とを設けたことを特徴とする畝表層部処理装置。
【発明の詳細な説明】
【０００１】
【発明の属する技術分野】
本発明は、成形した畝の表層部を雑草が生えにくいように処理する畝表層部処理装置に関するものである。
【０００２】
【従来の技術】
従来、下記特許文献１に示されるように、ビニール製マルチフィルムを畝に被覆する装置を設けたものがあり、これにより畝から雑草が生えるのを抑制するものがあった。
【０００３】
また、下記特許文献２に示されるように、成形された畝の表面部をスリップ回転する回転体を設けて、畝の表面部を締め固める装置があり、これにより畝を崩れ難くしたものがあった。
【０００４】
【特許文献１】特開平９−９８６７５号公報
【０００５】
【特許文献２】特開平６−２１７６０１号公報
【０００６】
【発明が解決しようとする課題】
上記従来技術の前者のものは、栽培終了後の除去作業が煩わしく、また、ビニール製マルチフィルムが腐敗しないため、それを焼却する際に生じるガスが環境問題にもなっている。なお、後者のものは、畝の表面部を締め固めて畝の崩れを少なくするのであるが、マルチフィルムで覆った畝のように雑草が生えるのを抑制することができない。そこで、本発明は、ビニール製マルチシートで畝を覆うことなく、畝から雑草が生えるのを良好に抑制して、マルチシートの除去作業を解消して農作業の労力軽減を図り、マルチシート廃棄時の環境問題を解消することを課題とする。
【０００７】
【課題を解決するための手段】
本発明は、上記課題を解決するために、以下のような技術的手段を講じた。
請求項１に係る発明は、畝立て装置２等で成形された畝に沿って移動しながら畝上面に液体を散布する液体散布手段と、畝に沿って移動しながら畝の表層部に接触して回転し前記液体散布手段により散布された液体を含んだ畝の表層部の土を練り土状にする回転体１８とを設けたことを特徴とする畝表層部処理装置としたものである。
【０００８】
請求項２に係る発明は、自走車体１に、畝立て装置２と前記液体散布手段と前記回転体１８を装着したことを特徴とする請求項１記載の畝表層部処理装置としたものである。
請求項３に係る発明は、紙２６をロール状に巻いた紙ロール２３を支持する紙ロール支持手段と、紙ロール２３から引き出された紙２６を畝上面に案内する案内手段２５と、畝を被覆した紙２６が畝表層部と密着させる水等の液体を散布する液体散布手段とを設けたことを特徴とする畝表層部処理装置としたものである。
【０００９】
【作用及び発明の効果】
請求項１に係る発明により、畝の表層部は練土状に処理されるので、処理後その表層部が乾燥して硬くなり、畝の表面が硬い土の板で覆われた状態となる。これにより、従来のようにマルチシートで畝を覆うことなく、畝から雑草が生えるのを良好に抑制でき、マルチシートの除去作業を解消して農作業の労力軽減が図れ、マルチシート廃棄時の環境問題を解消するものとなる。また、上記ように畝表層部が処理された畝は、水分の蒸発が抑えられて畝の保水性が良好になり、更に、畝の下層部は固められてなく軟らかい状態が保たれているので、作物を良好に育成できる。
【００１０】
請求項２に係る発明は、上記の作用及び効果を奏するうえ、畝表層部を練土状に処理する作業が、畝立て作業とともに行えて能率良く作業できる。
請求項３に係る発明は、畝表層部を練土状に処理する代りに、畝を覆う紙が散布された液体によって畝表層部の土に密着して貼り付いた状態に処理する。これにより、土壌で腐蝕しうる紙で畝を覆うことにより、畝から雑草が生えるのを良好に抑制でき、栽培終了後の除去作業の解消を解消することも可能となって農作業の労力軽減が図れ、また、紙製であることにより焼却廃棄する場合でも環境問題を回避できる。更に、畝を覆った紙が畝表層部の土に密着して貼り付いた状態になっているので、従来よりも畝から雑草が生えるのを良好に抑制でき、また、紙と畝表面との間に風が入り込んで紙が破れることが生じ難くなって、従来、単に畝上に被せるだけの紙製マルチよりも薄い紙が使用できて、資材コストを低減できる。
【００１１】
【発明の実施の形態】
以下、図面に基づき、本件発明の実施の一形態について説明する。
図１、図２に示す例は、農用トラクタ等の自走車体１の後部に、畝立て装置２と、液体散布手段及び回転体１８とを備えた畝表層部処理装置１３とを装着した構成のものである。
【００１２】
畝立て装置２は、自走車体１の後部に装備されたリンク装置２に装着している。リンク装置２は、左右のリフトアーム３，３及びリフトロッド４，４を介して駆動昇降可能な構成としている。畝立て装置２の構成は、自走車体１のＰＴＯ軸（図示省略）からユニバーサルジョイントを経て動力が伝達される中央伝動ケース５と、中央伝動ケース５に取り付けられているフレーム６と、中央伝動ケース５から下方に延出している耕耘伝動ケース７と、耕耘伝動ケース７の下部に、耕耘軸８と耕耘爪９，…により構成されている耕耘装置１０と、耕耘装置１０の上方を覆う耕耘カバー１１と、耕耘装置１０の後側左右両側に配置している左右畝成形板１２，１２とを備えた構成としている。
【００１３】
畝表層部処理装置１３は、畝立て装置２の後方で畝表層部処理作用するように設けている。本例では、具体的には、畝立て装置２の中央伝動ケース５から左側に延出している左伝動フレーム１４、左伝動フレーム１４の端部から後下方に延出している左伝動ケース１５、中央伝動ケース５から右側に延出している右伝動フレーム１６、右伝動フレーム１６の端部から後下方に延出している右伝動ケース１７、左伝動ケース１５及び右伝動ケース１７の各下端部の左右間に回転体１８を駆動回転可能に軸架している。回転体１８は、その外周面が、畝立て装置２によって成形された畝上面形状に沿うような形状を有し全体としてツツミ状の形状であり、畝の中央表層部に対応する小径円筒状部１８ａと、該小径円筒状部１８ａの左右両外側に連設され畝の左右傾斜部及び左右溝部に対応する大径円筒状部１８ｂ，１８ｂを備えた構成としている。そして、この回転体１８は、中央伝動ケース５内の動力が伝動されて畝表層部に接触しながら回転し、回転体１８が自走車体１によって畝に沿って移動する速度よりも大なる周速度で回転体１８の下側周面が前側から後側に移動する方向に高速回転する。なお、回転体１８の回転速度を適宜変速可能に構成したり、或はまた、回転体１８の下側周面が後側から前側に移動する方向に逆回転させるように構成すれば、異なる土質に対する処理適応性を向上できる。
【００１４】
そして、畝表層部処理装置１３は、更に、液体散布手段を備えている。液体散布手段は、本例では、具体的には、自走車体１の後部に設けられている液タンク１９ａ、液タンク１９ａからポンプ２０ａに液を供給する供給ホース１９ｂ、液タンク１９ａ内の液を圧送するポンプ２０ａ、ポンプ２０ａから吐出する液を散布ノズル２１，…に送る移送ホース２０ｂ、回転体１８の上方に左右所定間隔を隔てて配置されていて回転体１８の周面に液を散布する散布ノズル２１，…を備えた構成としている。散布ノズル２１，…から液体が散布される箇所は、回転体１８の下端部箇所或はそれより前側位置に液体が散布されるように設けるか、又は、図示のように、回転体１８の外周面に対して散布するように設ける。回転体１８の下端部箇所或はそれより前側（回転体１８が畝に沿って移動する方向側）位置に液体を散布されるように設けると、かなり乾燥して水分が極めて少ない土の畝に対して充分な量の液体を散布することができて良好に処理作業が行える利点がある。回転体１８の外周面に対して液体を散布するように設けると、回転体１８の外周面に付着した泥を洗い流すことができて回転体１８の外周面に泥が堆積しにくくなり、処理作業を良好に継続できる利点がある。散布する液体は水でよいが、これに除草剤を混合しておけば、畝の除草効果を一層高めることができる。また、凝固剤やパルプ溶液を混合しておけば、練土状に処理された畝表層部の乾燥後の崩壊が生じにくく、畝の崩れが抑制されて、栽培作業が良好に行える。
【００１５】
これにより、回転体１８が接触する畝表層部の土が散布ノズル２１，…から散布された液体で濡れた状態となり、この状態の畝表層部の土と回転体１８の外周面が接触し、回転体１８の外周面が畝表層部に対して接触しながら前側或は後側に移動することで、畝表層部が練土状に処理されることになる。
【００１６】
上記構成のものは、例えば、以下のように作用するものとなる。機体の回転各部を回転しながら自走車体１を前進走行させると、畝立て装置２の耕耘装置１０により圃場の土は耕耘され、左右畝成形板１２，１２により幅広の畝が形成される。そして、その畝の表層部を回転体１８が接触しながら回転体１８の下側周面が前側から後側に移動する方向に高速回転する。液タンク１９の液体はポンプによって送られて散布ノズル２１，…から噴出して回転体１８の外周面左右全幅にわたって吹き付けられる。回転体１８の外周面は散布された液体で塗れた状態で畝の表層部に接触しながら高速回転するので、回転体１８が接触する畝表層部の土は練土状に処理される。従って、畝立て作業を行いながら、その畝表層部の土を練土状に処理していくものとなる。このような作業が施された畝は、その表面に泥を塗ったような状態となる。従って、練土状に処理された畝表層部が乾燥すれば、泥が乾いたときのように硬くなり、畝表面が緻密で硬い土の板で畝が覆われた状態となる。
【００１７】
従って、従来のようにマルチシートで畝を覆うことなく、畝から雑草が生えるのを良好に抑制でき、マルチシートの除去作業を解消して農作業の労力軽減が図れ、マルチシート廃棄時の環境問題を解消するものとなる。また、上記ように畝表層部が処理された畝は、水分の蒸発が抑えられて畝の保水性が良好になり、更に、畝の下層部は固められてなく軟らかい状態が保たれているので、作物を良好に育成できる。
【００１８】
更に、上記構成としたものは、畝表層部を練土状に処理する作業が、畝立て作業とともに行えて能率よく作業でき、また、畝表層部処理装置１３を畝立て装置２に対して設定高さに支持した構成であるので、畝立て装置２が成形した畝に対し畝表層部処理装置１３の回転体１８が畝を押し固め過ぎない程度に畝表層部に接触させて作用させることができ、畝表層部を練土状に処理し且つ下層部は押し固めない状態で処理することができる。なお、図示していないが、畝立て装置２に対する畝表層部処理装置１３の回転体１８の上下方向の位置を変更する回転体高さ調節機構を設けていて、土質等に応じて回転体１８の畝表層部に対する接触状態を適宜上下位置変更でき、良好な処理作業が行えるようになっている。また、自走車体１に畝立て装置２を設けないで、畝表層部処理装置１３のみを装着する構成とした場合は、畝表層部処理装置１３による畝表層部処理作業を行うに先立って、自走車体１に畝立て装置２を装着して畝立て作業を行うことになる。
【００１９】
上記のように処理された畝に対し、播種或は苗を移植する場合は、播種時或は苗移植時に硬くなった畝表層部を突き破り、硬くなっていない下層部の土に播種或は苗を移植する方法をとることになる。この方法にて播種或は苗を移植すれば、播種或は苗の移植後においても、上記のように表層部が処理された畝は上記のような効果を充分に発揮できる状態を維持できる。
【００２０】
次に、図３、図４に示す例について説明する。この例は、畝表層部を練土状に処理する代りに、畝を覆う紙が散布された液体によって畝表層部の土に密着して貼り付いた状態に処理するものであり、紙２６をロール状に巻いた紙ロール２３を支持する紙ロール支持手段と、紙ロール２３から引き出された紙２６を畝上面に案内する案内手段２５と、畝を被覆した紙２６が畝表層部と密着させる水等の液体を散布する液体散布手段とを設けた構成の畝表層部処理装置としたものである。
【００２１】
図例の具体的な構成について説明すると、図例のものは、自走車体１の後部に畝立て装置２を昇降自在に連結し、畝立て装置２の耕耘装置１０の後部両側に左右畝成形板１２，１２を配置し、左右畝成形板１２，１２の後方には紙マルチ装置２２を配置している。紙マルチ装置２２は、耕耘カバー１１のフレーム部に取り付けられている紙ロール２３の支持装置２４、支持装置２４に巻き架けられている紙ロール２３、紙ロール２３から引き出した紙２６を畝の表層部に案内接触する案内ローラー２５、紙２６の左右両端部を畝の溝部に鎮圧する左右鎮圧輪２７，２７、溝部の土を切削し紙２６の左右両端部にかける左右回転ディスク２８，２８を備えた構成としている。液体散布手段は、自走車体１の後部に設けられている液タンク１９ａ、送液用のポンプ１９ｂ、ポンプ１９ｂの吐出口から延出しているホース２０、ホース２０の終端部に取り付けられていて畝の左右全幅にわたって液体を散布するよう設けられている散布ノズル２１，…、（図示省略）等により構成している。散布ノズル２１，…は、紙２６で覆った後の畝上に、或は、紙２６で覆う前の畝上に液体を散布するように配置する。図示例では、左右回転ディスク２８，２８の後方に配置した構成としている。
【００２２】
上記のように構成したものは、機体の回転各部を回転しながら自走車体１を走行させると、畝立て装置２の耕耘装置１０により耕耘され、左右畝成形板１２，１２により幅広の畝が形成される。次いで、紙ロール２３から紙２６が引き出され、引き出された紙２６は案内ローラー２５により畝の表層部に接触するように案内され、紙２６の左右両端部は左右鎮圧輪２７，２７により畝の溝部に鎮圧保持される。次いで、左右回転ディスク２８，２８により切削された土が紙２６の左右両端部にかけられ、紙２６により畝及び溝部の全幅が被覆される。次いで、被せられた紙２６の全幅にわたり散布ノズル２１，…から液体が散布され、紙２６が畝及び溝部表面に密着する。
【００２３】
従って、上記構成のものは、土壌で腐蝕しうる紙で畝を覆うことにより、畝から雑草が生えるのを良好に抑制でき、栽培終了後の除去作業の解消を解消することも可能となって農作業の労力軽減が図れ、また、紙製であることにより焼却廃棄する場合でも環境問題を回避できる。
【００２４】
また、従来、畝上面を紙製マルチシートで覆うものは知られているが、紙が厚くて重いため、取り扱いが困難でコスト高となり、また、薄い紙であると破れやすいという欠点があった。しかし、上記のように処理することで、畝を覆う紙が散布された液体によって畝表層部の土に密着して貼り付いた状態になっているので、従来よりも畝から雑草が生えるのを良好に抑制でき、また、紙と畝表面との間に風が入り込んで紙が破れることが生じ難くなって、従来、単に畝上に被せるだけの紙製マルチよりも薄い紙が使用できて、資材コストを低減できる。
【００２５】
なお、液体に水溶性の糊をまぜると、紙の土への接着性が高まり、紙を確実に畝の表層部に密着させることができる。また、紙が被覆された畝に対し、播種或は苗を移植する場合は、播種時或は苗移植時に紙を突き破り、紙の下側の土に播種或は苗を移植する方法をとることになる。この方法にて播種或は苗を移植すれば、播種或は苗の移植後においても、上記のように処理された畝は上記のような効果を充分に発揮できる状態を維持できる。
【図面の簡単な説明】
【図１】畝表層部処理装置を装着した作業機体の部分断面側面図。
【図２】畝表層部処理装置の要部の背面図。
【図３】別構成の畝表層部処理装置を装着した作業機体の部分断面側面図。
【図４】別構成の畝表層部処理装置の要部を示す背面図。
【符号の説明】
１　自走車体
２　畝立て装置
１３　畝表層部処理装置
１８　回転体
１９　液タンク
２０　ホース
２１　散布ノズル
１２　左右畝成形板
２２　紙マルチ装置
２３　紙ロール
２４　支持装置
２５　案内ローラー
２６　紙
２７　左右鎮圧輪
２８　左右回転ディスク
【図１】
2004113178.tif 000003
【図２】
2004113178.tif 000004
【図３】
2004113178.tif 000005
【図４】
2004113178.tif 000006